(57)【特許請求の範囲】
【請求項１】
入力される操作信号に応じた動作を行うことが可能な電子機器であって、
多角形をなす周回経路であって、経路上の位置に応じて当該電子機器の動作が対応付けられた周回経路を表示可能な表示部と、
外部からのタッチを検出し、このタッチ位置に応じた位置信号の入力を受け付ける矩形状のタッチパネルと、
前記タッチパネルが最初に入力を受け付けた前記位置信号に対応する前記タッチ位置を前記周回経路上の位置に変換し、この変換した位置に前記周回経路上を移動するマークを表示させる表示制御部と、
前記タッチパネルに対して前記タッチが継続中である場合において、前記タッチ位置が変化したとき、現在のタッチ位置に対応する前記位置信号と直前のタッチ位置に対応する前記位置信号とに基づいて、前記タッチパネル上における短手方向および長手方向の各々のタッチ位置の変化量を検出するタッチ検出部と、
前記周回経路上における前記マークの表示位置に応じて、当該電子機器の動作を制御する動作制御部と、
を備え、
前記表示制御部は、前記タッチ検出部が検出した前記短手方向のタッチ位置の変化量と前記長手方向のタッチ位置の変化量とを比較した結果に基づいて、前記周回経路上における前記マークの表示位置を制御することを特徴とする電子機器。
【請求項２】
当該電子機器の動作を決定する決定信号の入力を受け付ける操作入力部をさらに備え、
前記動作制御部は、前記操作入力部から前記決定信号が入力された時点の前記マークの表示位置に対応する当該電子機器の動作を実行することを特徴とする請求項１に記載の電子機器。
【請求項３】
前記表示部は、接眼式ファインダであることを特徴とする請求項１または２に記載の電子機器。
【請求項４】
当該電子機器の背面に設けられ、画像を表示可能な背面表示部をさらに備え、
前記タッチパネルは、前記背面表示部の表示画面上に重畳して設けられていることを特徴とする請求項１〜３のいずれか一つに記載の電子機器。
【請求項５】
前記表示制御部は、前記マークを９０度毎に移動させながら前記表示部に表示させることを特徴とする請求項１〜４のいずれか一つに記載の電子機器。
【請求項６】
被写体を撮像し、該被写体の画像データを生成する撮像部をさらに備え、
前記表示部は、前記撮像部が生成した前記画像データに対応する画像を表示することを特徴とする請求項１〜５のいずれか一つに記載の電子機器。
【請求項７】
複数の光学素子を内部に保持し、所定の視野領域から光を集光するレンズ部をさらに備え、
前記レンズ部は、当該電子機器の操作に関する指示信号の入力を受け付けるレンズ操作部を有し、
前記表示制御部は、前記レンズ操作部から前記指示信号が入力された場合、前記周回経路上における前記マークの表示位置を移動させることを特徴とする請求項１〜６のいずれか一つに記載の電子機器。
【請求項８】
当該電子機器の動作は、撮影に関する撮影パラメータであることを特徴とする請求項６に記載の電子機器。
【請求項９】
前記画像データに対して画像処理を施す画像処理部をさらに備え、
前記撮影パラメータは、露出情報、明るさ情報、ズーム倍率情報、焦点位置情報、ＩＳＯ感度情報、絞り情報、シャッタスピード情報、前記画像処理部による画像処理の処理情報および撮影モードに関する撮影モード情報を含むことを特徴とする請求項８に記載の電子機器。
【請求項１０】
表示部と、外部からのタッチを検出し、このタッチ位置に応じた位置信号の入力を受け付ける矩形状のタッチパネルを備え、入力される操作信号に応じた動作を行うことが可能な電子機器が実行する駆動方法であって、
多角形をなす周回経路であって、経路上の位置に応じて当該電子機器の動作が対応付けられた周回経路の表示を前記表示部に開始させる開始ステップと、
前記タッチパネルが最初に入力を受け付けた前記位置信号に対応する前記タッチ位置を前記周回経路上の位置に変換し、この変換した位置に前記周回経路上を移動するマークを表示させる表示制御ステップと、
前記タッチパネルに対して前記タッチが継続中である場合において、前記タッチ位置が変化したとき、現在のタッチ位置に対応する前記位置信号と直前のタッチ位置に対応する前記位置信号とに基づいて、前記タッチパネル上における短手方向および長手方向の各々のタッチ位置の変化量を検出するタッチ検出ステップと、
前記マークの表示位置を決定する決定信号が入力された場合、前記周回経路上における前記マークの表示位置に応じて、当該電子機器の動作を制御する動作制御ステップと、
を含み、
前記表示制御ステップは、
前記タッチ検出ステップにおいて検出した前記短手方向のタッチ位置の変化量と前記長手方向のタッチ位置の変化量とを比較した結果に基づいて、前記周回経路上における前記マークの表示位置を制御することを特徴とする駆動方法。
【請求項１１】
表示部と、外部からのタッチを検出し、このタッチ位置に応じた位置信号の入力を受け付ける矩形状のタッチパネルを備え、入力される操作信号に応じた動作を行うことが可能な電子機器に実行させるプログラムであって、
多角形をなす周回経路であって、経路上の位置に応じて当該電子機器の動作が対応付けられた周回経路の表示を前記表示部に開始させる開始ステップと、
前記タッチパネルが最初に入力を受け付けた前記位置信号に対応する前記タッチ位置を前記周回経路上の位置に変換し、この変換した位置に前記周回経路上を移動するマークを表示させる表示制御ステップと、
前記タッチパネルに対して前記タッチが継続中である場合において、前記タッチ位置が変化したとき、直前のタッチ位置に対応する前記位置信号と現在のタッチ位置に対応する前記位置信号とに基づいて、前記タッチパネル上における短手方向および長手方向の各々のタッチ位置の変化量を検出するタッチ検出ステップと、
前記マークの表示位置を決定する決定信号が入力された場合、前記周回経路上における前記マークの表示位置に応じて、当該電子機器の動作を制御する動作制御ステップと、
を実行させ、
前記タッチ検出ステップにおいて検出した前記短手方向の変化量と前記長手方向の変化量との大きさを比較した結果に基づいて、前記周回経路上における前記マークの表示位置を制御することを特徴とするプログラム。
【発明の詳細な説明】
【技術分野】
【０００１】
本発明は、タッチパネルを備えた電子機器、電子機器の駆動方法およびプログラムに関する。
【背景技術】
【０００２】
近年、デジタルカメラ等の撮像装置において、画像を表示する表示部の表示画面上に設けたタッチパネルにより、撮影に関する操作入力を受け付ける技術が知られている（特許文献１参照）。この技術では、撮像装置を右手で把持するグリップ側のタッチパネルの右領域にタッチ操作をガイドする凹形状のガイド部を設ける。これにより、ユーザがファインダに対して接眼した状態で表示部を確認することができなくとも、タッチ操作によって撮影に関する操作を行うことができる。
【先行技術文献】
【特許文献】
【０００３】
【特許文献１】特開２０１０−２３２９１１号公報
【発明の概要】
【発明が解決しようとする課題】
【０００４】
しかしながら、上述した特許文献１では、タッチパネル上にガイド部を設けているので、タッチパネルの仕様に制約が生じていた。
【０００５】
また、上述した特許文献１では、ユーザがガイド部の感触を頼りに操作するため、敏速な操作を行うことができないという問題点があった。
【０００６】
本発明は、上記に鑑みてなされたものであって、タッチパネルの仕様に制約を設けることなく、敏速な操作を行うことができる電子機器、駆動方法およびプログラムを提供することを目的とする。
【課題を解決するための手段】
【０００７】
上述した課題を解決し、目的を達成するために、本発明にかかる電子機器は、入力される操作信号に応じた動作を行うことが可能な電子機器であって、画面内で周回し、この周回する経路上の位置に応じて当該電子機器の動作が対応付けられる周回経路を表示可能な表示部と、外部からの接触を検出し、この接触位置に応じた位置信号の入力を受け付けるタッチパネルと、前記タッチパネルが入力を受け付けた前記位置信号に対応する前記接触位置を前記周回経路上の位置に変換し、この変換した位置にマークを表示させる表示制御部と、前記周回経路上における前記マークの表示位置に応じて、当該電子機器の動作を制御する動作制御部と、を備えたことを特徴とする。
【０００８】
また、本発明にかかる電子機器は、上記発明において、当該電子機器の動作を決定する決定信号の入力を受け付ける操作入力部をさらに備え、前記動作制御部は、前記操作入力部から前記決定信号が入力された時点の前記マークの表示位置に対応する当該電子機器の動作を実行することを特徴とする。
【０００９】
また、本発明にかかる電子機器は、上記発明において、前記周回経路は、円環状をなすことを特徴とする。
【００１０】
また、本発明にかかる電子機器は、上記発明において、前記表示制御部は、前記タッチパネルが前記位置信号の入力を受け付けた際に、前記マークを前記周回経路上における所定位置に表示させることを特徴とする。
【００１１】
また、本発明にかかる電子機器は、上記発明において、前記表示部は、接眼式ファインダであることを特徴とする。
【００１２】
また、本発明にかかる電子機器は、上記発明において、当該電子機器の背面に設けられ、前記画像を表示可能な背面表示部をさらに備え、前記タッチパネルは、前記背面表示部の表示画面上に重畳して設けられていることを特徴とする。
【００１３】
また、本発明にかかる電子機器は、上記発明において、前記表示制御部は、前記マークを９０度毎に移動させながら前記表示部に表示させることを特徴とする。
【００１４】
また、本発明にかかる電子機器は、上記発明において、被写体を撮像し、該被写体の画像データを生成する撮像部をさらに備え、前記表示部は、前記撮像部が生成した前記画像データに対応する画像を表示することを特徴とする。
【００１５】
また、本発明にかかる電子機器は、上記発明において、複数の光学素子を内部に保持し、所定の視野領域から光を集光するレンズ部をさらに備え、前記レンズ部は、当該電子機器の操作に関する指示信号の入力を受け付けるレンズ操作部を有し、前記表示制御部は、前記レンズ操作から前記指示信号が入力された場合、前記周回経路上における前記マークの表示位置を移動させることを特徴とする。
【００１６】
また、本発明にかかる電子機器は、上記発明において、前記当該電子機器の動作は、撮影に関する撮影パラメータであることを特徴とする。
【００１７】
また、本発明にかかる電子機器は、上記発明において、前記画像データに対して画像処理を施す画像処理部をさらに備え、前記撮影パラメータは、露出情報、明るさ情報、ズーム倍率情報、焦点位置情報、ＩＳＯ感度情報、絞り情報、シャッタスピード情報、前記画像処理部による画像処理の処理情報および撮影モードに関する撮影モード情報を含むことを特徴とする。
【００１８】
また、本発明にかかる駆動方法は、外部からの接触を検出し、この接触位置に応じた位置信号の入力を受け付けるタッチパネルを備え、入力される操作信号に応じた動作を行うことが可能な電子機器が実行する駆動方法であって、画面内で周回し、この周回する経路上の位置に応じて当該電子機器の動作が対応付けられる周回経路の表示を開始する表示開始ステップと、前記タッチパネルが入力を受け付けた前記位置信号に対応する前記接触位置を前記周回経路上の位置に変換し、この変換した位置にマークを表示させるマーク表示ステップと、前記マークの表示位置を決定する決定信号が入力された場合、前記周回経路上における前記マークの表示位置に応じて、当該電子機器の動作を制御する動作制御ステップと、を実行することを特徴とする。
【００１９】
また、本発明にかかるプログラムは、外部からの接触を検出し、この接触位置に応じた位置信号の入力を受け付けるタッチパネルを備え、入力される操作信号に応じた動作を行うことが可能な電子機器に実行させるプログラムであって、画面内で周回し、この周回する経路上の位置に応じて当該電子機器の動作が対応付けられる周回経路の表示を開始する表示開始ステップと、前記タッチパネルが入力を受け付けた前記位置信号に対応する前記接触位置を前記周回経路上の位置に変換し、この変換した位置にマークを表示させるマーク表示ステップと、前記マークの表示位置を決定する決定信号が入力された場合、前記周回経路上における前記マークの表示位置に応じて、当該電子機器の動作を制御する動作制御ステップと、を含むことを特徴とする。
【発明の効果】
【００２０】
本発明によれば、表示制御部がタッチパネルによって入力が受け付けられた位置信号の変化に応じて、接触位置を周回経路の表示位置に変換したマークを表示部に表示させ、動作制御部が周回経路上におけるマークの表示位置に応じて、電子機器の動作を制御する。この結果、タッチパネルの仕様に制約を設けることなく、敏速に操作することができるという効果を奏する。
【図面の簡単な説明】
【００２１】
【図１】図１は、本発明の実施の形態１にかかる撮像装置の被写体に面する側の構成を示す図である。
【図２】図２は、本発明の実施の形態１にかかる撮像装置のユーザに面する側の構成を示す図である。
【図３】図３は、本発明の実施の形態１にかかる撮像装置の機能構成を示すブロック図である。
【図４】図４は、本発明の実施の形態１にかかる撮像装置が実行する処理の概要を示すフローチャートである。
【図５】図５は、本発明の実施の形態１にかかる撮像装置に対してユーザが接眼表示部でライブビュー画像を確認しながら撮影する際の状況を示す図である。
【図６】図６は、本発明の実施の形態１にかかる撮像装置に対してユーザが表示部でライブビュー画像を確認しながら撮影する際の状況を示す図である。
【図７】図７は、図４のタッチ円環変換表示処理の概要を示すフローチャートである。
【図８】図８は、本発明の実施の形態１にかかる撮像装置のタッチパネル上におけるタッチ位置を模式的に示す図である。
【図９】図９は、本発明の実施の形態１にかかる撮像装置の接眼表示部が表示する動作情報を模式的に示す図である。
【図１０】図１０は、円環の表示領域を模式的に示す図である。
【図１１】図１１は、本発明の実施の形態１にかかる撮像装置の接眼表示部の画面遷移を模式的に示す図である。
【図１２】図１２は、本発明の実施の形態１にかかる撮像装置の接眼表示部の別の画面遷移を模式的に示す図である。
【図１３】図１３は、本発明の実施の形態２にかかるタッチ円環変換表示処理の概要を示すフローチャートである。
【図１４】図１４は、本発明の実施の形態２にかかる撮像装置の接眼表示部の画面遷移を模式的に示す図である。
【図１５】図１５は、本発明の実施の形態３にかかるタッチ円環変換表示処理の概要を示すフローチャートである。
【図１６】図１６は、本発明の実施の形態３にかかる撮像装置の接眼表示部の画面遷移を模式的に示す図である。
【図１７】図１７は、本発明の実施の形態３の変形例にかかる撮像装置の表示部の画面遷移を模式的に示す図である。
【図１８】図１８は、本発明の別の実施の形態にかかる撮像装置の表示部の画面遷移を模式的に示す図である。
【発明を実施するための形態】
【００２２】
以下、図面を参照して、本発明にかかる電子機器の好適な実施の形態（以下、「実施の形態」という）として、撮像装置を例に詳細に説明する。また、以下においては、同一の部分には同一の符号を付して説明する。なお、この実施の形態によって本発明が限定されるものではない。
【００２３】
（実施の形態１）
図１は、本発明の実施の形態１にかかる撮像装置の被写体に面する側（前面側）の構成を示す図である。図２は、本発明の実施の形態１にかかる撮像装置のユーザに面する側（背面側）の構成を示す図である。図３は、本発明の実施の形態１にかかる撮像装置の機能構成を示すブロック図である。
【００２４】
図１〜３に示す撮像装置１は、本体部２と、本体部２に着脱自在であり、所定の視野領域から光を集光するとともに、光学ズームが可能なレンズ部３と、を備える。
【００２５】
まず、本体部２について説明する。本体部２は、シャッタ２０１と、シャッタ駆動部２０２と、撮像素子２０３と、撮像素子駆動部２０４と、信号処理部２０５と、Ａ／Ｄ変換部２０６と、画像処理部２０７と、ＡＥ処理部２０８と、ＡＦ処理部２０９と、画像圧縮展開部２１０と、操作入力部２１１と、接眼表示部２１２と、アイセンサ２１３と、表示部２１４と、タッチパネル２１５と、メモリＩ／Ｆ２１６と、記録媒体２１７と、時計２１８と、ＳＤＲＡＭ（Synchronous  Dynamic  Random  Access  Memory）２１９と、Ｆｌａｓｈメモリ２２０と、本体通信部２２１と、バス２２２と、本体制御部２２３と、を備える。
【００２６】
シャッタ２０１は、撮像素子２０３の状態を露光状態または遮光状態に設定する。シャッタ駆動部２０２は、ステッピングモータやＤＣモータ等を用いて構成され、本体制御部２２３から入力される指示信号に応じてシャッタ２０１を駆動する。
【００２７】
撮像素子２０３は、レンズ部３が集光した光を受光して電気信号に変換するＣＣＤ（Charge  Coupled  Device）またはＣＭＯＳ（Complementary  Metal  Oxide  Semiconductor）等を用いて構成され、被写体の画像データを生成する。撮像素子駆動部２０４は、所定のタイミングで撮像素子２０３から画像データ（アナログ信号）を信号処理部２０５へ出力させる。この意味で、撮像素子駆動部２０４は、電子シャッタとして機能する。
【００２８】
信号処理部２０５は、撮像素子２０３から入力される画像データに対して、アナログ処理を施してＡ／Ｄ変換部２０６へ出力する。たとえば、信号処理部２０５は、画像データに対して、リセットノイズ等を低減した上で波形整形後、目的の明るさとなるようにゲインアップを行う。
【００２９】
Ａ／Ｄ変換部２０６は、信号処理部２０５から入力されるアナログの画像データに対してＡ／Ｄ変換を行うことによってデジタルの画像データ（ＲＡＷデータ）を生成し、バス２２２を介してＳＤＲＡＭ２１９へ出力する。
【００３０】
画像処理部２０７は、バス２２２を介してＳＤＲＡＭ２１９から画像データ（ＲＡＷデータ）を取得し、取得した画像データに対して各種の画像処理を行った画像データを生成する。具体的には、画像処理部２０７は、画像データに対して、予め設定された各画像処理のパラメータに基づいて、オプティカルブラック減算処理、ホワイトバランス（ＷＢ）調整処理、カラーマトリクス演算処理、ガンマ補正処理、色再現処理およびエッジ強調処理等を含む基本の画像処理を行う。なお、画像処理部２０７は、撮像素子２０３がベイヤー配列の場合には画像データの同時化処理を行う。ここで、各画像処理のパラメータとは、コントラスト、シャープネス、彩度、ホワイトバランスおよび階調の値である。また、画像処理部２０７は、バス２２２を介して画像処理を施した画像データを接眼表示部２１２、表示部２１４およびＳＤＲＡＭ２１９のいずれかへ出力する。また、画像処理部２０７は、特殊効果処理部２０７ａを有する。
【００３１】
特殊効果処理部２０７ａは、１つの画像データに対して複数の画像処理を組み合わせることにより、視覚的な効果を生じさせる特殊効果画像処理を行って処理画像データを生成する。具体的には、特殊効果処理部２０７ａは、１つの画像データに対して、トーンカーブ処理、ぼかし処理、アルファブレンド処理および画像合成処理、彩度強調処理、コントラスト強調処理、シェーディング処理、ホワイトエッジ処理、ローパスフィルタ処理、ホワイトバランス処理、色相変換処理、エッジ強調処理、レベル補正最適化処理、ノイズパターン重畳処理、合成処理等の画像処理を組み合わせることによって、処理画像データを生成する。
【００３２】
ＡＥ処理部２０８は、バス２２２を介してＳＤＲＡＭ２１９に記録された画像データを取得し、取得した画像データに基づいて、撮像装置１が静止画撮影または動画撮影を行う際の露出条件を設定する。具体的には、ＡＥ処理部２０８は、画像データから輝度を算出し、算出した輝度に基づいて、たとえば絞り値、シャッタ速度、ＩＳＯ感度等を決定することで撮像装置１の自動露出を行う。
【００３３】
ＡＦ処理部２０９は、バス２２２を介してＳＤＲＡＭ２１９に記録された画像データを取得し、取得した画像データに基づいて、撮像装置１の自動焦点の調整を行う。たとえば、ＡＦ処理部２０９は、画像データから高周波成分の信号を取り出し、高周波成分の信号に対してＡＦ（Automatic  Focus）演算処理を行うことによって、撮像装置１の合焦評価を決定することで撮像装置１の自動焦点の調整を行う。なお、ＡＦ処理部２０９は、瞳分割位相差法を用いて撮像装置１の自動焦点の調整を行ってもよい。
【００３４】
画像圧縮展開部２１０は、バス２２２を介してＳＤＲＡＭ２１９から画像データや処理画像データを取得し、取得した画像データに対して所定の形式に従って圧縮し、この圧縮した画像データをメモリＩ／Ｆ２１６を介して記録媒体２１７へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部２１０は、バス２２２およびメモリＩ／Ｆ２１６を介して記録媒体２１７に記録された画像データ（圧縮画像データ）を取得し、取得した画像データを展開（伸長）してＳＤＲＡＭ２１９へ出力する。
【００３５】
操作入力部２１１は、静止画撮影の指示を与えるレリーズ信号の入力を受け付けるレリーズボタン２１１ａと、動画撮影の指示を与える動画レリーズ信号の入力を受け付ける動画ボタン２１１ｂと、撮像装置１のモードの切り替えを指示する指示信号の入力を受け付けるモード切替ボタン２１１ｃと、撮像装置１の各種設定を切り替えるメニューボタン２１１ｄと、記録媒体２１７に記録された画像データを再生する指示信号の入力を受け付ける再生ボタン２１１ｅと、撮像装置１の電源状態をオン状態またはオフ状態に切り替える電源ボタン２１１ｆと、を有する。レリーズボタン２１１ａは、外部からの押圧による身体可能であり、半押しされた場合に撮影準備動作を指示するファーストレリーズ信号の入力を受け付ける一方、全押しされた場合に静止画撮影を指示するセカンドレリーズ信号の入力を受け付ける。
【００３６】
接眼表示部２１２は、本体制御部２２３の制御のもと、バス２２２を介してＳＤＲＡＭ２１９に記録された画像データまたは処理画像データに対応する画像または記録媒体２１７に記録された画像データに対応する画像を表示する。この意味で、接眼表示部２１２は、接眼式の電子ビューファインダ（ＥＶＦ）として機能する。接眼表示部２１２は、液晶または有機ＥＬ（Electro  Luminescence）からなる表示パネルおよび駆動ドライバ等を用いて構成される。また、接眼表示部２１２は、画面内で周回し、この周回する経路上の位置に応じて撮像装置１の動作が対応付けられる周回経路を表示する。周回経路は、円環状をなし、撮像装置１の動作として撮影に関する撮影パラメータが対応付けられている。ここで、撮影パラメータとは、撮影に関する露出情報、明るさ情報、ズーム倍率情報、焦点位置情報、ＩＳＯ感度情報、絞り情報、シャッタスピード情報、画像処理部２０７による画像処理の処理情報および撮影モードに関する撮影モード情報である。また、撮影モード情報とは、絞り優先モード、シャッタ優先モード、特殊効果撮影モード、マニュアル撮影モードおよびオート撮影モードである。
【００３７】
アイセンサ２１３は、接眼表示部２１２の近傍に設けられ（図２を参照）、人の目が接眼表示部２１２の近くになるか否かを検出する。具体的には、アイセンサ２１３は、ユーザが接眼表示部２１２で画像を確認しているか否かを検出し、この検出結果を本体制御部２２３へ出力する。
【００３８】
表示部２１４は、液晶または有機ＥＬからなる表示パネルおよび駆動ドライバ等を用いて構成され、本体制御部２２３の制御のもと、バス２２２を介してＳＤＲＡＭ２１９に記録された画像データに対応する画像または記録媒体２１７に記録された画像データに対応する画像を表示する。ここで、画像の表示には、撮影直後の画像データを所定時間（たとえば３秒）だけ表示するレックビュー表示、記録媒体２１７に記録された画像データを再生する再生表示、および撮像素子２０３が連続的に生成する画像データに対応するライブビュー画像を時系列に沿って順次表示するライブビュー表示等が含まれる。また、表示部２１４は、撮像装置１の動作情報および撮影に関する情報を適宜表示する。なお、本実施の形態１では、表示部２１４が背面表示部として機能する。
【００３９】
タッチパネル２１５は、表示部２１４の表示画面上に重畳して設けられる。タッチパネル２１５は、外部からの物体のタッチを検出し、この検出したタッチ位置に応じた位置信号を本体制御部２２３へ出力する。また、タッチパネル２１５は、ユーザが表示部２１４で表示される情報、たとえばアイコン画像やサムネイル画像に基づいてタッチした位置を検出し、この検出したタッチ位置に応じて撮像装置１が行う動作を指示する指示信号や画像を選択する選択信号の入力を受け付けてもよい。一般に、タッチパネル２１５としては、抵抗膜方式、静電容量方式および光学方式等がある。本実施の形態１では、いずれの方式のタッチパネルであっても適用可能である。
【００４０】
記録媒体２１７は、撮像装置１の外部から装着されるメモリカード等を用いて構成される。記録媒体２１７は、メモリＩ／Ｆ２１６を撮像装置１に着脱自在に装着される。記録媒体２１７には、画像処理部２０７または画像圧縮展開部２１０が処理を施した画像データが書き込まれる。
【００４１】
時計２１８は、計時機能および撮影日時の判定機能を有する。時計２１８は、撮像素子２０３によって生成された画像データに日時データを付加するため、日時データを本体制御部２２３へ出力する。
【００４２】
ＳＤＲＡＭ２１９は、揮発性メモリを用いて構成され、バス２２２を介してＡ／Ｄ変換部２０６から入力される画像データ、画像処理部２０７から入力される画像データおよび撮像装置１の処理中の情報を一時的に記録する。たとえば、ＳＤＲＡＭ２１９は、信号処理部２０５、Ａ／Ｄ変換部２０６およびバス２２２を介して撮像素子２０３が１フレーム毎に順次出力する画像データを一時的に記録する。
【００４３】
Ｆｌａｓｈメモリ２２０は、プログラム記録部２２０ａを有する。プログラム記録部２２０ａは、撮像装置１を動作させるための各種プログラムおよびプログラムの実行中に使用される各種データおよび画像処理部２０７による画像処理の動作に必要な各画像処理のパラメータ等を記録する。Ｆｌａｓｈメモリ２２０は、不揮発性メモリを用いて構成される。
【００４４】
本体通信部２２１は、本体部２に接続されるレンズ部３との通信を行うための通信インターフェースである。
【００４５】
バス２２２は、撮像装置１の各構成部を接続する伝送路等を用いて構成される。バス２２２は、撮像装置１の内部で発生した各種データを撮像装置１の各構成部に転送する。
【００４６】
本体制御部２２３は、ＣＰＵ（Central  Processing  Unit）等を用いて構成され、操作入力部２１１からの指示信号またはタッチパネル２１５からの位置信号に応じて撮像装置１を構成する各部に対応する指示やデータの転送等を行って撮像装置１の動作を統括的に制御する。
【００４７】
本体制御部２２３の詳細な構成について説明する。本体制御部２２３は、タッチ検出部２２３ａと、タッチ変換部２２３ｂと、表示制御部２２３ｃと、撮影制御部２２３ｄと、を有する。
【００４８】
タッチ検出部２２３ａは、タッチパネル２１５から入力される位置信号に応じて、ユーザがタッチパネル２１５に対してタッチしたタッチパネル２１５上におけるタッチ位置を検出する。
【００４９】
タッチ変換部２２３ｂは、タッチ検出部２２３ａが検出したタッチ位置を接眼表示部２１２が表示するライブビュー画像上における周回経路の位置に変換する。
【００５０】
表示制御部２２３ｃは、タッチパネル２１５が入力を受け付けた位置信号に対応する接触位置を接眼表示部２１２または表示部２１４が表示する周回経路の位置に変換し、この変換した位置にマークを表示させる。具体的には、表示制御部２２３ｃは、タッチ変換部２２３ｂが変換した周回経路の表示位置にマークを表示部２１４または接眼表示部２１２に表示させる。また、表示制御部２２３ｃは、タッチパネル２１５が位置信号の入力を受け付けた際に、マークを周回経路上における所定位置に表示させる。
【００５１】
撮影制御部２２３ｄは、操作入力部２１１から入力される指示信号またはタッチパネル２１５から入力される位置信号に基づいて、撮像装置１の駆動を制御する。撮影制御部２２３ｄは、レリーズボタン２１１ａから２ｎｄレリーズ信号が入力された場合、撮像装置１における静止画撮影動作を開始する制御を行う。ここで、撮像装置１における静止画撮影動作とは、シャッタ駆動部２０２および撮像素子駆動部２０４の駆動によって撮像素子２０３が出力した画像データに対して、信号処理部２０５および画像処理部２０７が所定の処理を施す動作をいう。このように処理が施された画像データは、画像圧縮展開部２１０で所定の形式に従って圧縮され、バス２２２およびメモリＩ／Ｆ２１６を介して記録媒体２１７に記録される。また、撮影制御部２２３ｄは、接眼表示部２１２または表示部２１４が表示する周回経路上におけるマークの表示位置に応じて、撮像装置１の動作を制御する。具体的には、撮影制御部２２３ｄは、操作入力部２１１から撮像装置１の動作を決定する決定信号が入力された時点の周回経路上におけるマークの表示位置に対応する撮像装置１の動作、たとえば露出値の値で撮影を実行させる。なお、本実施の形態１では、撮影制御部２２３ｄが動作制御部として機能する。
【００５２】
以上の構成を有する本体部２に対して、音声入出部、被写体に対して補助光（フラッシュ）を発光する補助光発光部、インターネットを介して外部の装置と双方向に送信を行う機能を有する通信部等をさらに設けてもよい。
【００５３】
つぎに、レンズ部３の構成について説明する。レンズ部３は、光学系３０１と、レンズ駆動部３０２と、絞り３０３と、絞り駆動部３０４と、レンズ操作部３０５と、レンズＦｌａｓｈメモリ３０６と、レンズ通信部３０７と、レンズ制御部３０８と、を備える。
【００５４】
光学系３０１は、所定の視野領域から光りを集光する。光学系３０１は、複数のレンズを用いて構成される。光学系３０１は、焦点距離を変化させる光学ズーム機能および焦点を変化させるフォーカス機能を有する。レンズ駆動部３０２は、光学系３０１を光軸Ｌ上に沿って移動させることにより、光学系３０１のピント位置や焦点距離等の変更を行う。レンズ駆動部３０２は、ＤＣモータやステッピングモータ等を用いて構成される。
【００５５】
絞り３０３は、光学系３０１が集光した光の入射量を制限することにより露出の調整を行う。絞り駆動部３０４は、ステッピングモータ等を用いて構成され、絞り３０３を駆動する。
【００５６】
レンズ操作部３０５は、レンズ部３のレンズ鏡筒の周囲に設けられるリングであり、レンズ部３における光学ズームの操作を開始する指示信号の入力、またはレンズ部３におけるピント位置の調整または焦点距離の変更を指示する指示信号の入力を受け付ける。なお、レンズ操作部３０５は、プッシュ式のボタン、またはオン・オフを切り替え可能なレバー式のボタン等であってもよい。
【００５７】
レンズＦｌａｓｈメモリ３０６は、光学系３０１の位置および動きをそれぞれ決定するための制御用プログラム、光学系３０１のレンズ特性および各種パラメータ等を記録する。
【００５８】
レンズ通信部３０７は、レンズ部３が本体部２に装着されたときに、本体部２の本体通信部２２１と通信を行うための通信インターフェースである。
【００５９】
レンズ制御部３０８、ＣＰＵ等を用いて構成され、レンズ操作部３０５から入力される指示信号または本体部２から入力される指示信号に応じてレンズ部３の動作を制御する。具体的には、レンズ制御部３０８は、本体制御部２２３から入力された指示信号に応じて、レンズ駆動部３０２を駆動させてレンズ部３のピント合わせを行う。さらに、レンズ制御部３０８は、レンズ操作部３０５から入力される指示信号に応じて、絞り駆動部３０４を駆動させて絞り３０３の絞り値の変更を行う。また、レンズ制御部３０８は、レンズ部３が本体部２に装着された際に、レンズ通信部３０７および本体通信部２２１を介してレンズ部３に関するピント位置情報、焦点距離情報、明るさ情報（ｆ値）、レンズ部３を識別する固有情報を本体部２へ送信する。
【００６０】
以上のように構成された撮像装置１が行う処理の概要について説明する。図４は、撮像装置１が実行する処理の概要を示すフローチャートである。
【００６１】
図４に示すように、撮像装置１が撮影モードに設定されている場合（ステップＳ１０１：Ｙｅｓ）、表示制御部２２３ｃは、撮像素子２０３が連続的に生成する画像データに対応するライブビュー画像を表示部２１４または接眼表示部２１２に表示させる（ステップＳ１０２）。この場合、ユーザは、接眼表示部２１２または表示部２１４で表示されるライブビュー画像を見ながら撮影を行う。
【００６２】
図５は、ユーザが接眼表示部２１２でライブビュー画像を確認しながら撮影する際の状況を示す図である。図６は、ユーザが表示部２１４でライブビュー画像を確認しながら撮影する際の状況を示す図である。
【００６３】
図５に示すように、ユーザは、接眼表示部２１２が表示するライブビュー画像を確認しながら撮影を行う場合、表示部２１４を見ることができない。このため、ユーザは、タッチパネル２１５を介して撮像装置１の撮影パラメータの変更を行うことができないが、指をタッチパネル２１５上で相対的に上下左右方向に滑らかに円を描くように動かすことができる。これに対して、図６に示すように、ユーザは、表示部２１４が表示するライブビュー画像を確認しながら撮影を行う場合、タッチパネル２１５を介して撮像装置１の撮影パラメータ、所望の被写体の選択、撮影モードの選択および画像処理部２０７による画像処理の設定を容易に行うことができるが、外光の影響により表示部２１４が表示するライブビュー画像で被写体の正確な色やピント状態の確認を行うことが難しい。さらに、図６において、レンズ部３の焦点距離が長くなることで、レンズ部３のレンズ鏡筒が長くなる場合、ユーザは、片手で撮像装置１を把持することが困難になる。
【００６４】
ステップＳ１０２の後、撮像装置１は、ユーザが接眼表示部２１２で撮影を行っている場合において、タッチパネル２１５を介して撮像装置１の撮影パラメータを変更する際に接眼表示部２１２が表示するライブビュー画像上に撮像装置１の動作が対応付けられた周回経路としての円環を重畳して表示し、タッチパネル２１５に対するタッチ操作に応じて撮影パラメータを変更するタッチ円環変換表示処理を実行する。
【００６５】
図７は、ステップＳ１０３のタッチ円環変換表示処理の概要を示すフローチャートである。
【００６６】
図７に示すように、タッチパネル２１５に対してタッチが開始された場合（ステップＳ２０１：Ｙｅｓ）、表示制御部２２３ｃは、接眼表示部２１２が表示するライブビュー画像上に撮像装置１の複数の動作内容をそれぞれ所定の間隔毎に配置した周回経路としての円環を重畳して表示させる（ステップＳ２０２）。
【００６７】
続いて、タッチ変換部２２３ｂは、タッチ検出部２２３ａがタッチパネル２１５から入力される位置信号に応じて検出したタッチパネル２１５上におけるタッチ位置Ｘｔ１，Ｙｔ１を、接眼表示部２１２がライブビュー画像上に重畳して表示する円環の起点Ｘｆ１，Ｙｆ１に変換する（ステップＳ２０３）。
【００６８】
図８は、タッチパネル２１５上におけるタッチ位置を模式的に示す図である。図９は、接眼表示部２１２が表示する集計経路としての円環を模式的に示す図である。なお、図８および図９においては、横方向をＸとし、縦方向をＹとする。
【００６９】
図８および図９に示すように、タッチ変換部２２３ｂは、タッチ検出部２２３ａがタッチパネル２１５から入力される位置信号に応じて検出したタッチパネル２１５上におけるタッチ位置Ｘｔ１，Ｙｔ１を、接眼表示部２１２がライブビュー画像Ｗ０上に重畳して表示する周回経路としての円環Ｂ１の所定位置、たとえば、右端の起点Ｘｆ１，Ｙｆ１を円環Ｂ１の初期位置として変換する。表示制御部２２３ｃは、タッチ変換部２２３ｂが変換した初期位置にマークを接眼表示部２１２に表示させる。この際、表示制御部２２３ｃは、円環Ｂ１の表示領域を接眼表示部２１２の表示領域の略１／４になるように接眼表示部２１２に表示させる。具体的には、表示制御部２２３ｃは、接眼表示部２１２の表示画面の横方向の長さＲ１に対して、円環Ｂ１の直径ｒ１の大きさが略１／４になるように表示させる。また、図９においては、右端をタッチ位置の起点にしているが、左端、上端または下端であってもよく、タッチパネル２１５上におけるタッチ位置に応じて、マークＭ１の起点を変更してもよい。さらに、周回経路として円環の必要はなく、たとえば三角や四角等の多角形であってもよい。
【００７０】
その後、表示制御部２２３ｃは、タッチ変換部２２３ｂが変換した円環Ｂ１の起点Ｘｆ１，Ｙｆ１にマークＭ１を重畳させて接眼表示部２１２に表示させる（ステップＳ２０４）。
【００７１】
続いて、タッチ検出部２２３ａが検出したタッチパネル２１５上におけるタッチ位置をＳＤＲＡＭ２１９に記録する（ステップＳ２０５）。ステップＳ２０５の後、撮像装置１は、図４のメインルーチンへ戻る。
【００７２】
ステップＳ２０１において、タッチパネル２１５に対してタッチ開始でなく（ステップＳ２０１：Ｎｏ）、表示部２１４の画面外からのスライド操作で停止した場合（ステップＳ２０６：Ｙｅｓ）、撮像装置１は、ステップＳ２０２へ移行する。これに対して、タッチパネル２１５に対してタッチ開始でなく（ステップＳ２０１：Ｎｏ）、表示部２１４の画面外からのスライド操作で停止していない場合（ステップＳ２０６：Ｎｏ）、撮像装置１は、ステップＳ２０７へ移行する。
【００７３】
ステップＳ２０７において、ユーザがタッチパネル２１５に対してタッチ継続中である場合（ステップＳ２０７：Ｙｅｓ）において、タッチ位置が変化したとき（ステップＳ２０８：Ｙｅｓ）、タッチ検出部２２３ａは、タッチパネル２１５から入力される位置信号に基づいて、Ｘ方向の変化ΔＸおよびＹ方向の変化ΔＹをそれぞれ検出する（ステップＳ２０９）。具体的には、タッチ検出部２２３ａは、ＳＤＲＡＭ２１９に記録されたタッチパネル２１５上における最新のタッチ位置と現在のタッチ位置とに基づいて、Ｘ方向の変化ΔＸおよびＹ方向のΔＹを検出する。
【００７４】
続いて、本体制御部２２３は、Ｘ方向の変化ΔＸの絶対値がＹ方向の変化ΔＹの絶対値より大きいか否かを判断する（ステップＳ２１０）。本体制御部２２３がＸ方向の変化ΔＸの絶対値がＹ方向の変化ΔＹの絶対値より大きいと判断した場合（ステップＳ２１０：Ｙｅｓ）、撮像装置１は、後述するステップＳ２１１へ移行する。これに対して、本体制御部２２３がＸ方向の変化ΔＸの絶対値がＹ方向の変化ΔＹより大きくないと判断した場合（ステップＳ２１０：Ｎｏ）、撮像装置１は、後述するステップＳ２１６へ移行する。
【００７５】
ステップＳ２１１において、Ｘ方向の変化ΔＸ＞０である場合（ステップＳ２１１：Ｙｅｓ）において、マークＭ１の表示位置が円環Ｂ１の領域Ａ２または領域Ａ４であるとき（ステップＳ２１２：Ｙｅｓ）、表示制御部２２３ｃは、円環Ｂ１の円弧に沿ってマークＭ１を右方向へ移動させて接眼表示部２１２に表示させる（ステップＳ２１３）。具体的には、図１０に示すように、表示制御部２２３ｃは、マークＭ１の表示位置が円環Ｂ１の領域Ａ２またはＡ４であるとき、円環Ｂ１の円弧に沿ってマークＭ１を右方向へ移動させて接眼表示部２１２に表示させる。たとえば、図１１に示すように、表示制御部２２３ｃは、接眼表示部２１２がライブビュー画像Ｗ1を表示している場合において（図１１（ａ））、ユーザがタッチパネル２１５に対して斜め下方向にスライド操作を行ったとき（図１１（ｂ）→図１１（ｃ））、マークＭ１を領域Ａ２から領域Ａ１へ移動させて接眼表示部２１２へ表示させる。この際、表示制御部２２３ｃは、マークＭ１の表示位置を９０度毎に移動させながら接眼表示部２１２に表示させてもよい。
【００７６】
このように、ユーザは、接眼表示部２１２に対して接眼した状態で撮影パラメータを表示部２１４で確認することができないうえ、指でマークＭ１に接触させながら円環Ｂ１に沿って正確に動かせなくても、タッチパネル２１５上におけるスライド操作で円を描くように移動させることによって、仮想的に円環Ｂ１のマークＭ１を操作することができるので、タッチパネル２１５上におけるタッチ位置に関わらず、直感的な操作で所望の撮影パラメータの変更を敏速に行うことができる。さらに、ユーザは、接眼表示部２１２に接眼した状態で、撮像装置１をしっかりとホールディングし、かつ自由になる右手親指の大まかな操作で、撮影パラメータの微調整を行うことができる。なお、図１１においては、撮影パラメータとして、特殊効果処理部２０７ａの特殊効果の項目アイコンＡ１〜Ａ３（Ａｒｔ１〜Ａｒｔ３）を例に表すが、スライド操作の操作量に応じて、撮影パラメータに関するアイコンの項目、内容および位置を変更してもよい。さらに、図１１のライブビュー画像Ｗ2においては、特殊効果処理としてシェーディング処理が施された状態をハッチングで示す。ステップＳ２１３の後、撮像装置１は、図４のメインルーチンへ戻る。
【００７７】
ステップＳ２１２において、マークＭ１の表示位置が円環Ｂ１の領域Ａ２または領域Ａ４でない場合（ステップＳ２１２：Ｎｏ）、撮像装置１は、図４のメインルーチンへ戻る。
【００７８】
ステップＳ２１１において、Ｘ方向の変化ΔＸ＞０でない場合（ステップＳ２１１：Ｎｏ）において、マークＭ１の表示位置が円環Ｂ１の領域Ａ２またはＡ４であるとき（ステップＳ２１４：Ｙｅｓ）、表示制御部２２３ｃは、円環Ｂ１の円弧に沿ってマークＭ１を左方向へ移動させて接眼表示部２１２に表示させる（ステップＳ２１５）。ステップＳ２１５の後、撮像装置１は、図４のメインルーチンへ戻る。
【００７９】
ステップＳ２１４において、マークＭ１の表示位置が円環Ｂ１の領域Ａ２または領域Ａ４でないとき（ステップＳ２１４：Ｎｏ）、撮像装置１は、図４のメインルーチンへ戻る。
【００８０】
ステップＳ２１６において、Ｙ方向の変化ΔＹ＞０である場合（ステップＳ２１６：Ｙｅｓ）において、マークＭ１の表示位置が円環Ｂ１の領域Ａ１または領域Ａ３であるとき（ステップＳ２１７：Ｙｅｓ）、表示制御部２２３ｃは、円環Ｂ１の円弧に沿ってマークＭ１を上方向へ移動させて接眼表示部２１２に表示させる（ステップＳ２１８）。ステップＳ２１８の後、撮像装置１は、図４のメインルーチンへ戻る。
【００８１】
ステップＳ２１７において、マークＭ１の表示位置が円環Ｂ１の領域Ａ１または領域Ａ３でない場合（ステップＳ２１７：Ｎｏ）、撮像装置１は、図４のメインルーチンへ戻る。
【００８２】
ステップＳ２１６において、Ｙ方向の変化ΔＹ＞０でない場合（ステップＳ２１６：Ｎｏ）において、マークＭ１の表示位置が円環Ｂ１の領域Ａ１または領域Ａ３であるとき（ステップＳ２１９：Ｙｅｓ）、表示制御部２２３ｃは、円環Ｂ１の円弧に沿ってマークＭ１を下方向へ移動させて接眼表示部２１２に表示させる（ステップＳ２２０）。ステップＳ２２０の後、撮像装置１は、図４のメインルーチンへ戻る。
【００８３】
ステップＳ２１９において、マークＭ１の表示位置が円環Ｂ１の領域Ａ１または領域Ａ３でない場合（ステップＳ２１９：Ｎｏ）、撮像装置１は、図４のメインルーチンへ戻る。
【００８４】
ステップＳ２０７において、ユーザがタッチパネル２１５に対してタッチ継続中である場合（ステップＳ２０７：Ｙｅｓ）において、タッチ位置が変化していないとき（ステップＳ２０８：Ｎｏ）、撮像装置１は、図４のメインルーチンへ戻る。
【００８５】
ステップＳ２０７において、タッチパネル２１５に対してタッチ継続中でない場合（ステップＳ２０７：Ｎｏ）、本体制御部２２３は、ＳＤＲＡＭ２１９に記録されたタッチ位置に関する位置情報をリセットするタッチ位置初期化を行う（ステップＳ２２１）。
【００８６】
続いて、表示制御部２２３ｃは、接眼表示部２１２が表示するライブビュー画像上における円環Ｂ１とマークＭ１の表示を終了する（ステップＳ２２２）。ステップＳ２２２の後、撮像装置１は、図４のメインルーチンへ戻る。
【００８７】
図４に戻り、ステップＳ１０４以降の説明を続ける。ステップＳ１０４において、撮影パラメータの項目が選択されている場合（ステップＳ１０４：Ｙｅｓ）、表示制御部２２３ｃは、マークＭ１位置相当の項目を候補として接眼表示部２１２にハイライト表示させる（ステップＳ１０５）。具体的には、図１１（ｃ）に示すように、表示制御部２２３ｃは、マークＭ１位置相当のＡｒｔ３アイコンＡ３を接眼表示部２１２にハイライト表示させる。これにより、ユーザは、選択した撮影パラメータの項目を直感的に把握することができる。これに対して、撮影パラメータの項目が選択されていない場合（ステップＳ１０４：Ｎｏ）、撮像装置１は、ステップＳ１０６へ移行する。
【００８８】
続いて、選択された撮影パラメータの数値が変化した場合（ステップＳ１０６：Ｙｅｓ）、撮影制御部２２３ｄは、マーク位置相当の数値を候補に設定する（ステップＳ１０７）。具体的には、図１２に示すように、撮影制御部２２３ｄは、複数の撮影パラメータの項目、たとえばＺｏｏｍアイコンＡ１１、ＦｏｃｕｓアイコンＡ１２、露出アイコンＡ１３の中から露出が設定され（図１２（ａ））、接眼表示部２１２がライブビュー画像Ｗ１上に露出アイコンＡ１３を表示している場合において、タッチ操作に応じて露出のパラメータの数値が変化したとき（たとえば−２アイコンＡ１４）、現在のマーク位置相当の数値を候補として設定する。これに対して、選択された撮影パラメータの数値が変化していない場合（ステップＳ１０６：Ｎｏ）、撮像装置１は、ステップＳ１０８へ移行する。
【００８９】
その後、撮影パラメータの項目・数値が決定された場合（ステップＳ１０８：Ｙｅｓ）、撮影制御部２２３ｄは、選択された撮影パラメータの項目・数値を決定して制御を反映する（ステップＳ１０９）。具体的には、レリーズボタン２１１ａからファーストレリーズ信号が入力された場合、またはタッチパネル２１５を介して決定アイコン（図示せず）が選択された場合、撮影制御部２２３ｄは、選択された現在の撮影パラメータの項目・数値を決定して撮像装置１の制御に反映する。たとえば、撮影制御部２２３ｄは、選択された撮影パラメータの項目が露出の場合において、数値が−２のとき、撮影する画像データの露出値を−２に設定する。これにより、図１２（ｂ）に示すように、接眼表示部２１２が表示するライブビュー画像Ｗ3が露出アンダーになる。これに対して、撮影パラメータの項目・数値が決定されていない場合（ステップＳ１０８：Ｎｏ）、撮像装置１は、ステップＳ１１０へ移行する。
【００９０】
続いて、レリーズボタン２１１ａからセカンドレリーズ信号が入力され、静止画撮影を行う場合（ステップＳ１１０：Ｙｅｓ）、撮影制御部２２３ｄは、シャッタ駆動部２０２を駆動することにより、メカシャッタによる静止画撮影を行う（ステップＳ１１１）。ステップＳ１１１の後、撮像装置１は、ステップＳ１１２へ移行する。これに対して、レリーズボタン２１１ａからセカンドレリーズ信号の入力がなく、静止画撮影を行わない場合（ステップＳ１１０：Ｎｏ）、撮像装置１は、ステップＳ１１２へ移行する。
【００９１】
その後、動画ボタン２１１ｂが操作された場合（ステップＳ１１２：Ｙｅｓ）、撮影制御部２２３ｄは、撮像素子２０３が連続的に生成する画像データを時系列に沿って記録媒体２１７に記録する動画撮影を開始する（ステップＳ１１３）。ステップＳ１１３の後、撮像装置１は、ステップＳ１１４へ移行する。これに対して、動画ボタン２１１ｂが操作されていない場合（ステップＳ１１２：Ｎｏ）、撮像装置１は、ステップＳ１１４へ移行する。
【００９２】
続いて、動画ボタン２１１ｂが操作され、動画撮影を終了する指示信号が入力された場合（ステップＳ１１４：Ｙｅｓ）、撮影制御部２２３ｄは、動画撮影を終了する（ステップＳ１１５）。ステップＳ１１５の後、撮像装置１は、ステップＳ１１６へ移行する。これに対して、動画撮影を終了する指示信号が入力されていない場合（ステップＳ１１４：Ｎｏ）、撮像装置１は、ステップＳ１１６へ移行する。
【００９３】
その後、電源ボタン２１１ｆが操作され、撮像装置１の電源がオフになった場合（ステップＳ１１６：Ｙｅｓ）、撮像装置１は、本処理を終了する。これに対して、撮像装置１の電源がオフになっていない場合（ステップＳ１１６：Ｎｏ）、撮像装置１は、ステップＳ１０１へ移行する。
【００９４】
ステップＳ１０１において、撮像装置１が撮影モードでなく（ステップＳ１０１：Ｎｏ）、再生モードに設定されている場合（ステップＳ１１７：Ｙｅｓ）、表示制御部２２３ｃは、記録媒体２１７に記録された画像データのファイル一覧を表示部２１４に表示させる（ステップＳ１１８）。
【００９５】
続いて、タッチパネル２１５を介して表示部２１４が表示するファイル一覧からファイルが選択された場合（ステップＳ１１９：Ｙｅｓ）、表示制御部２２３ｃは、選択されたファイルを表示部２１４に再生させる（ステップＳ１２０）。
【００９６】
その後、操作入力部２１１からファイルの再生を終了する指示信号が入力された場合（ステップＳ１２１：Ｙｅｓ）、撮像装置１は、ステップＳ１１８へ戻る。これに対して、操作入力部２１１からファイルの再生を終了する指示信号が入力されていない場合（ステップＳ１２１：Ｎｏ）、撮像装置１は、ステップＳ１２０へ戻る。
【００９７】
ステップＳ１１９において、タッチパネル２１５を介して表示部２１４が表示するファイル一覧からファイルが選択されていない場合（ステップＳ１１９：Ｎｏ）、撮像装置１は、ステップＳ１２２へ移行する。
【００９８】
続いて、操作入力部２１１から再生モードの終了を指示する指示信号が入力された場合（ステップＳ１２２：Ｙｅｓ）、撮像装置１は、ステップＳ１１６へ移行する。これに対して、操作入力部２１１から再生モードの終了を指示する指示信号が入力されていない場合（ステップＳ１２２：Ｎｏ）、撮像装置１は、ステップＳ１１８へ戻る。
【００９９】
ステップＳ１１７において、撮像装置１が再生モードに設定されていない場合（ステップＳ１１７：Ｎｏ）、撮像装置１は、ステップＳ１１６へ移行する。
【０１００】
以上説明した本発明の実施の形態１によれば、接眼表示部２１２に対して接眼して指でマークＭ１に接触させながら円環Ｂ１に沿って正確に動かせなくても、タッチパネル２１５上におけるスライド操作の左右上下方向の位置を移動させることによって、仮想的に円環Ｂ１のマークＭ１を移動させることができるので、直感的な操作で所望の撮影パラメータの変更を敏速に行うことができる。
【０１０１】
（実施の形態２）
つぎに、本発明の実施の形態２について説明する。本実施の形態２にかかる撮像装置は、上述した実施の形態１にかかる撮像装置と同一の構成を有し、タッチ円環変換表示処理が異なる。このため、以下においては、本実施の形態２にかかる撮像装置が実行するタッチ円環変換表示処理について説明する。なお、上述した実施の形態１にかかる撮像装置と同一の構成には同一の符号を付して説明する。
【０１０２】
図１３は、本実施の形態２にかかる撮像装置１が実行するタッチ円環変換表示処理の概要を示すフローチャートである。
【０１０３】
図１３に示すように、タッチパネル２１５に対してタッチが開始された場合（ステップＳ３０１：Ｙｅｓ）において、撮像装置１の撮影パラメータの項目が未決定のとき（ステップＳ３０２：Ｙｅｓ）、本体制御部２２３は、撮影パラメータの項目のアイコンの何れかに対して、画面内側にスライド操作が行われたか否かを判断する（ステップＳ３０３）。具体的には、図１４に示すように、本体制御部２２３は、表示部２１４が表示するＺｏｏｍアイコンＡ２１、ＦｏｃｕｓアイコンＡ２２および露出アイコンＡ２３の中から露出アイコンＡ２３の表示領域に対して、画面内側にスライド操作が行われたか否かを判断する（図１４（ａ）→図１４（ｂ）→図１４（ｃ））。本体制御部２２３が撮影パラメータの項目のアイコンの何れかに対して、画面内側にスライド操作が行われたと判断した場合（ステップＳ３０３：Ｙｅｓ）、撮像装置１は、ステップＳ３０４へ移行する。これに対して、本体制御部２２３が撮影パラメータの項目アイコンの何れにも、画面内側にスライド操作が行われていないと判断した場合（ステップＳ３０３：Ｎｏ）、撮像装置１は、図４のメインルーチンへ戻る。
【０１０４】
ステップＳ３０４において、撮影制御部２２３ｄは、スライド操作が行われたアイコンに対応する項目を、撮影パラメータを変更する項目に決定する。たとえば、図１４に示すように、本体制御部２２３は、露出アイコンＡ２１にスライド操作が行われた場合、撮影パラメータとして露出値の変更に決定する（図１４（ｃ）→図１４（ｄ））。
【０１０５】
ステップＳ３０５〜ステップＳ３０８は、図７のステップＳ２０２〜ステップＳ２０５にそれぞれ対応する。ステップＳ３０７の後、撮像装置１は、図４のメインルーチンへ戻る。
【０１０６】
ステップＳ３０１において、タッチパネル２１５に対して、タッチが開始されておらず（ステップＳ３０１：Ｎｏ）、タッチ検出部２２３ａが表示部２１４の画面外からのスライド操作を検出した場合（ステップＳ３０９：Ｙｅｓ）、撮像装置１は、ステップＳ３０９へ移行する。
【０１０７】
続いて、撮影パラメータの項目のアイコン上でスライド操作が停止した場合（ステップＳ３１０：Ｙｅｓ）、表示制御部２２３ｃは、表示部２１４にスライド操作が停止したアイコンをハイライト表示させる（ステップＳ３１１）。ステップＳ３１１の後、撮像装置１は、図４のメインルーチンへ戻る。
【０１０８】
ステップＳ３１０において、撮影パラメータの項目のアイコン上でスライド操作が停止していない場合（ステップＳ３１０：Ｎｏ）、撮像装置１は、図４のメインルーチンへ戻る。
【０１０９】
ステップＳ３０１において、タッチパネル２１５に対して、タッチが開始されておらず（ステップＳ３０１：Ｎｏ）、タッチ検出部２２３ａが表示部２１４の画面外からのスライド操作を検出していない場合（ステップＳ３０９：Ｎｏ）、撮像装置１は、ステップＳ３０２へ移行する。
【０１１０】
ステップＳ３０２において、撮影パラメータの項目が決定されている場合（ステップＳ３０２：Ｙｅｓ）、撮像装置１は、ステップＳ３１２へ移行する。
【０１１１】
ステップＳ３１２〜ステップＳ３２７は、図４のステップＳ２０６〜ステップＳ２２１にそれぞれ対応する。この際、図１４（ｄ）に示すように、撮影パラメータの項目として露出が設定された場合、撮影制御部２２３ｄは、タッチ操作に応じて、露出値を変更する。
【０１１２】
以上説明した本発明の実施の形態２によれば、表示部２１４が表示する撮影パラメータの項目を選択した後に、この選択した項目の撮影パラメータの内容や数値を接眼表示部２１２に接眼しながらタッチブランドで変更することができる。
【０１１３】
（実施の形態３）
つぎに、本発明の実施の形態３について説明する。本実施の形態３にかかる撮像装置は、上述した実施の形態１にかかる撮像装置と同一の構成を有し、タッチ円環変換表示処理が異なる。このため、以下においては、本実施の形態３にかかる撮像装置が実行するタッチ円環変換表示処理について説明する。なお、上述した実施の形態１にかかる撮像装置１と同一の構成には同一の符号を付して説明する。
【０１１４】
図１５は、本実施の形態３にかかる撮像装置１が実行するタッチ円環変換表示処理の概要を示すフローチャートである。
【０１１５】
図１５に示すように、本体制御部２２３は、撮影パラメータの項目が決定済みであるか否かを判断する（ステップＳ４０１）。本体制御部２２３が撮影パラメータの項目が決定済みであると判断した場合（ステップＳ４０１：Ｙｅｓ）、撮像装置１は、後述するステップＳ４０２へ移行する。これに対して、本体制御部２２３が撮影パラメータの項目が決定済みでないと判断した場合（ステップＳ４０１：Ｎｏ）、撮像装置１は、後述するステップＳ４１１へ移行する。
【０１１６】
ステップＳ４０２において、表示部２１４が撮像装置１の複数の動作内容を所定の間隔毎に配置した動作情報としての円環を表示済みである場合（ステップＳ４０２：Ｙｅｓ）において、円環の中心方向にスライド操作があったとき（ステップＳ４０３：Ｙｅｓ）、撮影制御部２２３ｄは、表示部２１４が表示している現在の撮影パラメータの項目の数値を撮像装置１の撮影パラメータとして決定する（ステップＳ４０４）。具体的には、図１６に示すように、撮影制御部２２３ｄは、接眼表示部２１２がライブビュー画像Ｗ４上に円環Ｂ２を表示している場合において、円環Ｂ２の中心方向にスライド操作があったとき、表示部２１４が表示している現在のパラメータ、たとえば露出値＋１／３を決定する（図１６（ａ）→図１６（ｂ））。
【０１１７】
続いて、撮影制御部２２３ｄは、ＳＤＲＡＭ２１９が記録するタッチ位置情報を初期化する（ステップＳ４０５）。
【０１１８】
その後、表示制御部２２３ｃは、表示部２１４に円環Ｂ２と円環Ｂ２上のマークＭ２の表示を終了させる（ステップＳ４０６）。ステップＳ４０６の後、撮像装置１は、図４のメインルーチンへ戻る。
【０１１９】
ステップＳ４０２において、表示部２１４が円環Ｂ２を表示済みでない場合（ステップＳ４０２）、表示制御部２２３ｃは、表示部２１４に画面中央に円環Ｂ２とマークＭ２を表示させる（ステップＳ４０７）。
【０１２０】
続いて、円環Ｂ２に対して回転スライド操作またはレンズ操作部３０５の操作リング３０５ａが回動された場合（ステップＳ４０８：Ｙｅｓ）、撮影制御部２２３ｄは、操作内容に従って、撮影パラメータを変更する（ステップＳ４０９）。
【０１２１】
その後、撮影制御部２２３ｄは、タッチ検出部２２３ａが判定したタッチ位置をＳＤＲＡＭ２１９に記録する（ステップＳ４１０）。ステップＳ４１０の後、撮像装置１は、図４のメインルーチンへ戻る。
【０１２２】
ステップＳ４０３にいて、円環Ｂ２の中心方向にスライド操作がない場合（ステップＳ４０３：Ｎｏ）、撮像装置１は、ステップＳ４０８へ移行する。
【０１２３】
ステップＳ４０８において、円環Ｂ２に対して回転スライド操作またはレンズ操作部３０５の操作リング３０５ａが回動されていない場合（ステップＳ４０８：Ｎｏ）、撮像装置１は、図４のメインルーチンへ戻る。
【０１２４】
ステップＳ４０１において、撮影パラメータの項目が決定済みでない場合（ステップＳ４０１：Ｎｏ）、撮像装置１は、図４のメインルーチンへ戻る。
【０１２５】
以上説明した本発明の実施の形態３によれば、接眼表示部２１２に対して接眼した状態でレンズ操作部３０５の操作リング３０５ａまたはタッチパネル２１５を介して撮像装置１の撮影パラメータを決定または変更することができるので、直感的な操作で撮影パラメータを敏速に変更することができる。
【０１２６】
また、本発明の実施の形態３では、レンズ操作部３０５に一つの撮影パラメータ、たとえば露出のパラメータを割り当て、タッチパネル２１５に複数の撮影パラメータの項目を割り当ててもよい。この場合、ユーザは、接眼表示部２１２に接眼した状態で２つの撮影パラメータを同時に変更または設定を容易に行うことができる。
【０１２７】
また、本発明の実施の形態３では、表示部２１４がライブビュー画像上に表示する撮影パラメータの項目に対してタッチまたはスライド操作を行うことによって、撮影パラメータの変更を行うことも可能である。
【０１２８】
図１７は、表示部２１４がライブビュー画像上に表示する撮影パラメータの項目に対してスライド操作によって撮影パラメータを変更する概要を模式的に示す図である。図１７に示すように、表示部２１４がライブビュー画像Ｗ10上に撮影パラメータに関する複数のアイコンＡ６１〜６５を表示している場合において（図１７（ａ））、ユーザがタッチパネル２１５を介して所望のアイコン、たとえばアイコンＡ６１に対して画面の右側から左側へスライド操作を行ったとき（図１７（ａ）→図１７（ｂ））、表示制御部２２３ｃは、アイコンＡ７１に対応する撮影パラメータの数値を変更する円環Ｂ３を表示部２１４に表示させる（図１７（ｃ））。
【０１２９】
その後、ユーザは、タッチパネル２１５を介して円環Ｂ３に対してタッチしながら円を描くようにタッチパネル２１５上を周期的に移動させることで、撮影パラメータの数値を変更する。この際、表示制御部２２３ｃは、タッチパネル２１５から入力される位置信号の周期的な変化（軌跡）に応じて、アイコンＡ７１の撮影パラメータの数値を示すアイコンＡ６６を表示部２１４に表示させる。これにより、ユーザは、直感的な操作によって、所望の撮影パラメータの項目の数値を敏速に変更することができる。
【０１３０】
（その他の実施の形態）
ここまで、本発明を実施するための形態を説明してきたが、本発明は上述した３つの実施の形態に限定されるべきものではない。たとえば、本発明において、図１８に示すように、接眼表示部２１２がなくても適用することができる。この場合、ＺｏｏｍアイコンＡ２１、ＦｏｒｅｃａｓｔアイコンＡ２２および露出アイコンＡ２３のいずれか、たとえば露出アイコンＡ２３に対して右側から左側にスライド操作を行った場合（図１８（ａ）→図１８（ｂ））、表示制御部２２３ｃは、露出のパラメータを変更する円環Ｂ４をライブビュー画像Ｗ1上に重畳して表示部２１４に表示させる。その後、ユーザがタッチパネル２１５上で円を描くように周期的にスライド操作させた場合（図１８（ｃ））、撮影制御部２２３ｄは、タッチパネル２１５から入力される位置信号の軌跡に応じて、露出のパラメータの値を変更する。これにより、ユーザは、円環Ｂ３上でタッチ操作することなく、撮影パラメータの数値や項目の変更を直感的な操作で敏速に行うことができる。
【０１３１】
また、本発明において、接眼表示部が本体部に一体的に形成されていたが、本体部に対して着脱自在であってもよい。
【０１３２】
また、本発明において、接眼表示部が電子ビューファインダであったが、光学ビューファインダと電子ビューファインダとによって構成されたハイブリットビューファインダであっても適用することができる。
【０１３３】
また、本発明において、光学ビューファインダ内に設けられた液晶や有機ＥＬ等の表示パネルであっても適用することができる。この場合、表示パネル上で周回経路を表示すればよい。
【０１３４】
また、本発明において、本体部とレンズ部とが一体的に形成されてもよい。
【０１３５】
また、本発明において、タッチパネル２１５が本体部に一体的に形成されていたが、本体部に対して着脱自在なアクセサリとして設けてもよい。
【０１３６】
また、本発明にかかる電子機器は、デジタル一眼レフカメラ等の撮像装置以外にも、たとえばアクセサリ等を装着可能なデジタルカメラ、デジタルビデオカメラおよび撮影機能を有する携帯電話やタブレット型携帯機器等の電子機器にも適用することができる。
【０１３７】
また、本発明にかかる電子機器は、医療装置にも適用することができる。たとえば、遠隔操作によって被検体の手術を行う医療ロボット等の医療装置において、術者が表示モニタで被検体の患部を見ながら手術を行っている場合において、医療装置の操作パラメータ、たとえば医療装置の照明による明るさ調整を行うことができないとき、表示モニタと異なる位置に設けられたタッチパネル上で円を描くようにスライド操作を行うことで、操作パラメータを変更してもよい。
【０１３８】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１３９】
このように、本発明は、ここでは記載していない様々な実施の形態を含みうるものであり、特許請求の範囲によって特定される技術的思想の範囲内で種々の設計変更等を行うことが可能である。
【符号の説明】
【０１４０】
１  撮像装置
２  本体部
３  レンズ部
２０１  シャッタ
２０２  シャッタ駆動部
２０３  撮像素子
２０４  撮像素子駆動部
２０５  信号処理部
２０６  Ａ／Ｄ変換部
２０７  画像処理部
２０７ａ  特殊効果処理部
２０８  ＡＥ処理部
２０９  ＡＦ処理部
２１０  画像圧縮展開部
２１１  操作入力部
２１２  接眼表示部
２１３  アイセンサ
２１４  表示部
２１５  タッチパネル
２１６  メモリＩ／Ｆ
２１７  記録媒体
２１８  時計
２１９  ＳＤＲＡＭ
２２０  Ｆｌａｓｈメモリ
２２０ａ  プログラム記録部
２２１  本体通信部
２２２  バス
２２３  本体制御部
２２３ａ  タッチ検出部
２２３ｂ  タッチ変換部
２２３ｃ  表示制御部
２２３ｄ  撮影制御部
３０１  光学系
３０２  レンズ駆動部
３０３  絞り
３０４  絞り駆動部
３０５  レンズ操作部
３０５ａ  操作リング
３０６  レンズＦｌａｓｈメモリ
３０７  レンズ通信部
３０８  レンズ制御部
【図１】
0006279120.tif 000002
【図２】
0006279120.tif 000003
【図３】
0006279120.tif 000004
【図４】
0006279120.tif 000005
【図５】
0006279120.tif 000006
【図６】
0006279120.tif 000007
【図７】
0006279120.tif 000008
【図８】
0006279120.tif 000009
【図９】
0006279120.tif 000010
【図１０】
0006279120.tif 000011
【図１１】
0006279120.tif 000012
【図１２】
0006279120.tif 000013
【図１３】
0006279120.tif 000014
【図１４】
0006279120.tif 000015
【図１５】
0006279120.tif 000016
【図１６】
0006279120.tif 000017
【図１７】
0006279120.tif 000018
【図１８】
0006279120.tif 000019